(57)【要約】【課題】  コードリーダ付きユニバーサルリモコンのコード情報読み取り操作で記録媒体に記録されている特定場所の情報を取り出し、例えば、教材等の各単元の所定個所に印刷された微小ドットコード、バーコード等のコード情報に基づき所望情報のみをランダムに再生できるユニバーサルリモコン機能付コード情報読取装置を提供する。【解決手段】  リモコンの通信データフォーマットを複数記憶させた通信データ記憶部と、記録媒体の特定記録位置情報を読み取るコード情報読取部と、コード情報読取部で読み取った記録媒体の特定記録位置情報を記憶させる位置情報記憶部と、通信データ記憶部に記憶された前記記録媒体を再生する再生装置を制御する通信データフォーマットと位置情報記憶部に記憶された前記特定記録位置情報とを対応させて前記通信データフォーマットと前記特定記録位置情報とからなる再生情報を生成する生成手段と、前記再生情報を送信する送信手段とから構成する。【選択図】図１
2013038754.tif 000002
【特許請求の範囲】
【請求項１】
ユニバーサルリモコン機能とコード情報を読み取る機能とを備えたユニバーサルリモコン機能付コード情報読取装置において、リモコンの通信データフォーマットを複数記憶させた通信データ記憶部と記録媒体の特定記録位置情報を読み取るコード情報読取部とコード情報読取部で読み取った記録媒体の特定記録位置情報を記憶させる位置情報記憶部と通信データ記憶部に記憶された前記記録媒体を再生する再生装置を制御する通信データフォーマットと位置情報記憶部に記憶された前記特定記録位置情報とを対応させて前記通信データフォーマットと前記特定記録位置情報とからなる再生情報を生成する生成手段と前記再生情報を送信する送信手段とを設けたことを特徴とするユニバーサルリモコン機能付コード情報読取装置。
【発明の詳細な説明】
【技術分野】
【０００１】  本発明は、各種多様なＡＶ機器を制御するユニバーサルリモコン機能付コード情報読取装置に関する。
【背景技術】
【０００２】  単体として、多種多様なＡＶ機器を制御できるユニバーサルリモコンが市販され、微小ドットコード、バーコードなどの紙面上に印刷されたコード情報を読み取る装置が前記リモコンとは別個に汎用されており、モニタ等が付属したバーコード読取装置が業務用途として専用のシステムに使用されている。【０００３】  また、バーコードリーダ付きリモコンとしては、１台で複数の制御機器を遠隔操作するために予め設定した複数のバーコードに対応させて複数の制御対象機器を制御する制御情報を一覧形式で記憶したメモリと、バーコード読み取り部で読み取ったバーコードに基づいてメモリから制御すべき制御対象機器の制御情報を出力して赤外線で外部に送信する送信部とを備えたバーコードリーダ付きリモコン装置（特許文献１参照）が提案され、リモコンのバーコード読み取り部によりレーベルバーコード内の情報を読み取り、この情報をデータ記録再生装置に送信してレーベルバーコード内の情報に基づいてコンテンツデータに係る情報をモニタに表示するデータ記録再生システム（特許文献２参照）が提案されている。
【先行技術文献】
【特許文献】
【０００４】
【特許文献１】  特開２００１−１６６６７号公報
【特許文献２】  特開２００６−２２１７２５号公報
【発明の概要】
【発明が解決しようとする課題】
【０００５】  前記バーコードリーダ付きリモコン装置は、制御対象機器を特定する情報を記憶しているユニバーサルリモコンとしての機能のみを有するものであり、前記データ記録再生システムのリモコンは光ディスクのレーベルバーコードに基づいて光ディスクに記録されているコンテンツ情報を表示するように構成されているので、例えば、教本に付属する単元毎の音声、静止画、動画等を記録した光ディスクなどの記録媒体に前記レーベルバーコードを貼り付けても記録媒体に記録された特定場所のコンテンツをランダムに再生することができないという問題点があった。また、バーコードリーダ付きユニバーサルリモコンの一スキャニングで光ディスク等の記録媒体に記録されている特定場所の情報を取り出すには、音声、静止画、動画データを格納するための高価な大容量メモリや画像音声処理ＬＳＩを教材として追加しなければならないという問題点があった。【０００６】  そこで、本発明は、コードリーダ付きユニバーサルリモコンのコード情報読み取り操作で記録媒体に記録されている特定場所の情報を取り出し、例えば、教材等の各単元の所定個所に印刷された微小ドットコード、バーコード等のコード情報に基づき所望情報のみをランダムに再生できるようにすることを技術的課題とするものである。
【課題を解決するための手段】
【０００７】  前記技術的課題は、次の通りの本発明によって解決できる。【０００８】  本発明に係るユニバーサルリモコン機能付コード情報読取装置は、ユニバーサルリモコン機能とコード情報を読み取る機能とを備えたユニバーサルリモコン機能付コード情報読取装置において、リモコンの通信データフォーマットを複数記憶させた通信データ記憶部と記録媒体の特定記録位置情報を読み取るコード情報読取部とコード情報読取部で読み取った記録媒体の特定記録位置情報を記憶させる位置情報記憶部と通信データ記憶部に記憶された前記記録媒体を再生する再生装置を制御する通信データフォーマットと位置情報記憶部に記憶された前記特定記録位置情報とを対応させて前記通信データフォーマットと前記特定記録位置情報とからなる再生情報を生成する生成手段と前記再生情報を送信する送信手段とが設けられている。
【発明の効果】
【０００９】  本発明によれば、微小ドットコード、バーコードなどのコード情報から記録媒体に記録されている動画、静止画、音声などのコンテンツ情報の所望の記録位置情報を取り出し、取り出した特定記録位置情報とリモコンの通信データフォーマットとを対応させて再生情報として再生装置４に送信するようにしたので、市販のＢＤ、ＤＶＤ、ＣＤドライブを制御して、例えば、紙面上の微小ドットコード、バーコードなどのコード情報とＢＤ、ＤＶＤ、ＣＤ等の記録媒体に記録されている大容量の動画、静止画、音声などのコンテンツ情報とを関連させて再生することができるから、記録媒体の所望位置のコンテンツのみをランダムに再生することができ、これにより、視覚、聴覚に働きかけ、効率的な情報の理解を補助する電子機器を安価に提供することができる。
【図面の簡単な説明】
【００１０】
【図１】  本発明の一実施例に係るユニバーサルリモコン機能付コード情報読取装置の説明図である。
【図２】  図１に示すユニバーサルリモコン機能付コード情報読取装置のブロック図である。
【図３】  図２に示す処理部のブロック図である。
【図４】  一般的な赤外線リモコンの送信データ（ＮＥＣフォーマットの例）を説明する図である。
【図５】  紙面上に微細に印刷されたドットコードの拡大図である。
【図６】  再生装置の選択方法を説明する図である。
【図７】  ユニバーサルリモコン機能付コード情報読取装置の使用手順を説明するフローチャート図である。
【図８】  英会話テキストの一単元とこの単元の静止画、動画及び音声を記録したＤＶＤ−ＲＯＭとからなる英会話教本を例とする本実施例の説明図である。
【発明を実施するための形態】
【００１１】  以下、本発明の一実施例について説明する。
【００１２】
【実施例】
【００１３】  図１に示すように、ユニバーサルリモコン機能付コード情報読取装置１（以下、単に「本装置」という。）は、筐体２と、記録媒体３に記録されたコンテンツ情報を再生する再生装置４を制御するデータを送信するリモコンデータ送信部（送信手段）５と、印刷物６に印刷された微小ドットコード情報や１次元、２次元バーコード情報を読み取るコード情報読取部７とから構成されており、リモコンデータ送信部５は再生装置４を制御するリモコン機能の通信データフォーマットと記録媒体３の特定記録位置情報とを対応させた再生情報を送信し、コード情報読取部７は記録媒体３の特定記録位置情報を読み取る。【００１４】  筐体２内には、図２に示すように、前記リモコンデータ送信部５と、前記コード情報読取部７と、コード情報読取部７で読み取った印刷物６に印刷された記録媒体３に記録されている動画、静止画、音声などのコンテンツ情報の所望の特定記録位置情報と再生装置４を制御する通信データフォーマットとを対応させて通信データフォーマットと特定記録位置情報とからなる再生情報を生成し、この再生情報をリモコンデータ送信部５へ送る処理部８と、本装置１を駆動させる電源９と、処理部８に接続されたスピーカ１０とが設けられている。【００１５】  処理部８は、図３に示すように、コード情報読取部７で読み取った記録媒体３の特定記録位置情報をＲＡＭ（位置情報記憶部）１１に記憶させ、ＲＡＭ１１に記憶された特定記録位置情報と再生装置４を制御するリモコンの通信データフォーマットとを対応させて記録媒体３における特定記録位置の動画、静止画、音声などのコンテンツ情報を再生する再生情報を生成するＣＰＵ（生成手段）１２と、本装置１を制御するプログラムと各種リモコンの通信データフォーマット情報と変調圧縮された音声データとを記憶したＲＯＭ（通信データ記憶部）１３と、音声データを復調する音声デコーダ１４と、音声信号を増幅してスピーカ１０を駆動するスピーカアンプ１５とを備えている。【００１６】  電源９は、乾電池または充電可能な二次電池またはＡＣアダプター等を使用でき、処理部８とリモコンデータ送信部５とコード情報読取部７とに必要な電力を供給する。【００１７】  なお、使用する再生装置４の種類を記憶するための書き換え可能なＥＥＰＲＯＭ１６を設けてもよい。また、前記ＲＡＭ１１は本装置１の駆動によるプログラム実行時において一時記憶手段としても使用される。また、音声デコーダ１４とスピーカアンプ１５とスピーカ１０とは無くてもよく、ＲＯＭ１３とＲＡＭ１１とはＣＰＵ１２に内蔵されて一体的に設けられていてもよく、各種のリモコンの通信データフォーマットを生成できる専用のＩＣを使用してＣＰＵ１２によって制御するようにしてもよい。【００１８】  また、再生装置４を制御するリモコンは赤外線、ＲＦ無線、そのほか、超音波式など、その種類は限定されず、いずれであってもよい。赤外線リモコンデータを例に取れば、一般的な赤外線リモコンの通信データフォーマットは財団法人家電製品協会が管理している家製協フォーマット、ＮＥＣエレクトロニクスが管理しているＮＥＣフォーマット等があり、図４に示すように、いずれも波長が９５０ｎｍの赤外線を利用してキャリアとして３８〜４４０ｋＨｚの周波数を用い明滅時と消灯時の時間の割合を変化させて２値化し、情報をシリアル伝送している。【００１９】  赤外線リモコンの場合における赤外線ＬＥＤは、記録媒体３を再生する再生装置４のリモコンデータ受信感度を上げるために複数個備えてもよい。また、あらかじめ赤外線リモコンの通信データフォーマットを用意できない場合は、既存のリモコンより実際に送出するリモコンデータから学習させて記憶することもできる。【００２０】  また、記録媒体はＢＤ、ＤＶＤ、ＣＤ、ＭＤ等の光ディスクであってもよく、メモリーを搭載したモジュールであってもよい。さらに、筐体２は設置型でも人間が片手でつかめる把持可能型でもよい。加えて設置型の箱形筐体に処理部８と電源９とを備え、この箱形筐体と把持可能なコード情報読取部７とを有線または無線にて接続するようにしてもよい。【００２１】  また、コード情報が図５に示す微小ドットコードの場合には、ＣＭＯＳ等のカメラと拡大レンズによりコード情報読取部７を構成することによって微細なドットの画像を取り込むことができ、ドット位置の相関から所定の処理を行うことにより読み取ったコード情報を特定の数値情報に変換することができる。また、カメラの光源として赤外線ＬＥＤを用いることにより印刷されたカーボンブラック成分のみが赤外線を吸収し、黒ドットとして認識することができるため、一般的に印刷に用いるシアン、マゼンダ、イエローの各色には影響されない。このため、数値情報を含んだカーボンブラック成分で微小ドットを形成すれば、シアン、マゼンダ、イエローの各色で多様な表現の印刷が可能になり、数値情報を含んでいたとしても印刷物としての価値を高めることができる。【００２２】  次に、再生装置４としてＤＶＤプレーヤー、記録媒体３としてＤＶＤ−ＲＯＭ、コード情報として微小ドットコードを例にとり、動作について説明する。【００２３】  電源９をＯＮした後（ｓ０１）、先ず、図６に示すＤＶＤプレーヤー４のメーカ名と型番等が記載されている印刷箇所を本装置１のコード情報読取部７で読み取る（ｓ０２）。これにより、ＣＰＵ１２の制御により、ＲＯＭ１３に記憶されているＤＶＤプレーヤー４の通信データフォーマット情報を特定し（ｓ０３）、特定した通信データフォーマット情報をＲＡＭ１１に記憶させる（ｓ０４）。その後、印刷物６に印刷されたドットコード情報をコード情報読取部７にて読み取って（ｓ０５）、数値データに変換してＲＡＭ１１に記憶させる（ｓ０６）。ＣＰＵ１２はＲＡＭ１１内の通信データフォーマット情報と特定記録位置情報とを対応させて通信データフォーマットと特定記録位置情報とからなる再生情報を生成する（ｓ０７）。ＣＰＵ１２の制御により、ＤＶＤ−ＲＯＭ３の所望の特定位置に記録されているコンテンツ情報を再生する再生情報をリモコンデータ送信部５へ送り、リモコンデータ送信部５は処理部８から送られてきた再生情報を赤外線ＬＥＤの明滅によってＤＶＤプレーヤー４に送信する（ｓ０８）。再生情報を受信した（ｓ０９）ＤＶＤプレーヤー４はＤＶＤ−ＲＯＭ３の所望の特定位置に記録されているコンテンツ情報を再生する（ｓ１０）。【００２４】  続いて、図８を参照して、英会話テキスト（印刷物）６とこのテキスト６の静止画、動画及び音声を記録したＤＶＤ−ＲＯＭ３とからなる英会話教本を例にとり、英会話テキスト６に印刷されたコード情報に基づいてコンテンツ情報をランダムに再生する方法について具体的に説明する。【００２５】  ＤＶＤ−ＲＯＭ３のチャプター１のタイトル１に一単元（Ｌｅｓｓｏｎ１）すべての会話音声とそれに伴う静止画及び動画を配置して記録し、タイトル２に”Ｈｅｌｌｏ”の音声とその静止画と動画とを配置して記録し、タイトル３に”Ｈｉ”の音声とその静止画と動画とを配置して記録し、タイトル４に”Ｎｉｃｅ  ｔｏ  ｍｅｅｔ  ｙｏｕ”の音声と静止画と動画とを配置して記録し、タイトル５に”Ｇｌａｄ  ｔｏ  ｓｅｅ  ｙｏｕ”の音声と静止画と動画とを配置して記録する。また、英会話テキスト６の”Ｌｅｓｓｏｎ１”の部分にチャプター１のタイトル１の記録位置を割り当てた「０００１」を表す微小ドットコードを印刷し、”Ｈｅｌｌｏ”の部分にタイトル２の記録位置を割り当てた「０００２」を表す微小ドットコードを印刷し、”Ｈｉ”の部分にタイトル３の記録位置を割り当てた「０００３」を表す微小ドットコードを印刷し、”Ｎｉｃｅ  ｔｏ  ｍｅｅｔ  ｙｏｕ”の部分にタイトル４の記録位置を割り当てた「０００４」を表す微小ドットコードを印刷し、”Ｇｌａｄ  ｔｏ  ｓｅｅ  ｙｏｕ”の部分にタイトル５の記録位置を割り当てた「０００５」を表す微小ドットコードを印刷し、”ｒｅｐｅａｔ”の部分にチャプターの先頭位置に戻る制御信号を割り当てた「０００６」を表す微小ドットコードを印刷しておく。【００２６】  本装置１のコード情報読取部７で”Ｌｅｓｓｏｎ１”部分に印刷された微小ドットコードを読み取れば、本装置１が「０００１」を認識し、ＣＰＵ１２の制御により、特定されたＤＶＤプレーヤ４の通信データフォーマットに従ってＤＶＤプレーヤ４の”メニュー”に相当する赤外線信号とこの信号から間隔を設けて配置された”チャプター１”に相当する赤外線信号とこの信号から間隔を設けて配置された”決定”に相当する赤外線信号とこの信号から間隔を設けて配置された”タイトル１”に相当する赤外線信号とこの信号から間隔を設けて配置された”決定”に相当する赤外線信号とこの信号から間隔を設けて配置された”タイトル２”に相当する赤外線信号とこの信号から間隔を設けて配置された”決定”に相当する赤外線信号とこの信号から間隔を設けて配置された”タイトル３”に相当する赤外線信号とこの信号から間隔を設けて配置された”決定”に相当する赤外線信号とこの信号から間隔を設けて配置された”タイトル４”に相当する赤外線信号とこの信号から間隔を設けて配置された”決定”に相当する赤外線信号とこの信号から間隔を設けて配置された”タイトル５”に相当する赤外線信号とこの信号から間隔を設けて配置された”決定”に相当する赤外線信号とからなる再生情報が生成される。これにより、リモコンデータ送信部５からＤＶＤプレーヤ４の”メニュー”に相当する赤外線信号がまず発出され、次いで、所定の間隔を開けて、”チャプター１”に相当する赤外線信号が発出され、次いで、所定の間隔を開けて”決定”に相当する赤外線信号が発出され、次いで、所定の��隔を開けて”タイトル１”に相当する赤外線信号が発出され、次いで、所定の間隔を開けて”決定”に相当する赤外線信号が発出され、次いで、所定の間隔を開けて”タイトル１”に相当する赤外線信号が発出され、次いで、所定の間隔を開けて”決定”に相当する赤外線信号が発出され、次いで、所定の間隔を開けて”タイトル２”に相当する赤外線信号が発出され、次いで、所定の間隔を開けて”決定”に相当する赤外線信号が発出され、次いで、所定の間隔を開けて”タイトル３”に相当する赤外線信号が発出され、次いで、所定の間隔を開けて”決定”に相当する赤外線信号が発出され、次いで、所定の間隔を開けて”タイトル４”に相当する赤外線信号が発出され、次いで、所定の間隔を開けて”決定”に相当する赤外線信号が発出され、次いで、所定の間隔を開けて”タイトル５”に相当する赤外線信号が発出され、次いで、所定の間隔を開けて”決定”に相当する赤外線信号が発出される。これら一連の赤外線信号によりＤＶＤプレーヤ４はチャプター１のタイトル１、２、３、４及び５に記憶された会話音声とそれに伴う静止画、動画を順次再生する。同様に”Ｈｅｌｌｏ”の部分を本装置１で読み取るとＣＰＵ１２の制御により”タイトル２”に相当する赤外線信号とこの信号から間隔を設けて配置された”決定”に相当する赤外線信号からなる再生情報が生成され、これにより、該再生情報が送信されてＤＶＤプレーヤ４においてチャプター１のタイトル２に記憶された”Ｈｅｌｌｏ”の音声とその静止画、動画を再生する。また、本装置１で”ｒｅｐｅａｔ”の部分を読み取ると、本装置１が「０００６」の微小ドットコードを認識し、”チャプターの先頭に戻る”に相当する赤外線信号を発出する。【００２７】  繰り返しの再生が必要な場合、本装置１が”メニュー”、”チャプター番号”、”タイトル番号”、”決定”に相当する再生情報の赤外線信号を順に発出することにより、簡易で素早く、使い勝手が良く、必要な箇所を簡単に再生できるから、効率的な学習に貢献できる。【００２８】  なお、リモコン機能の押しボタン操作を最小限に抑えるために、微小ドットコード毎に該微小ドットコードが認識されることで起動する押しボタン操作自動再生プログラムをＥＥＰＲＯＭ１６などに記憶させるようにしてもよい。また、ＤＶＤプレーヤー４はメーカ名と型番等を記載した冊子より選択したが、本装置１の操作ボタンを押して設定するようにしてもよい。さらに、リモコンの送信の成功度は一般的に１００％になり得ないので、リモコン送信を失敗したときは再度同じ読み取り操作をするか別途再送信ボタンを設けてそのボタン操作により同じリモコンコードを再送信する機能を備えてもよい
【産業上の利用可能性】
【００２９】  本発明によれば、紙面上の微小ドットコード、バーコードなどのコード情報とＢＤ、ＤＶＤ、ＣＤ等の記録媒体に記録されている大容量の動画、静止画、音声などのコンテンツ情報とを関連させて再生するから、例えば、教本に付属する単元毎の音声、静止画、動画等を記録した記録媒体の特定場所のコンテンツをランダムに再生することができる。【００３０】  従って、本発明の産業上利用性は非常に高いといえる。
【符号の説明】
【００３１】  １  本装置（ユニバーサルリモコン機能付コード情報読取装置）
２  筐体
３  記録媒体（ＤＶＤ−ＲＯＭ）
４  再生装置（ＤＶＤプレーヤ）
５  リモコンデータ送信部（送信手段）
６  印刷物
７  コード情報読取部
８  処理部
９  電源
１０  スピーカ
１１  ＲＡＭ（位置情報記憶部）
１２  ＣＰＵ（生成手段）
１３  ＲＯＭ（通信データ記憶部）
１４  音声デコーダ
１５  スピーカアンプ
【図１】
2013038754.tif 000003
【図２】
2013038754.tif 000004
【図３】
2013038754.tif 000005
【図４】
2013038754.tif 000006
【図５】
2013038754.tif 000007
【図６】
2013038754.tif 000008
【図７】
2013038754.tif 000009
【図８】
2013038754.tif 000010